【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】
磁性材料からなるベースプレートと、
前記ベースプレートに保持される滑り軸受手段と、
前記滑り軸受手段によって回転自在に支持される回転軸と、
前記ベースプレートに設けられるステータと、
前記回転軸に設けられ、前記ステータとの間の磁気的作用によって、前記ベースプレートに対して前記回転軸の軸線まわりに回転するロータと、
前記ステータに対向して前記ロータに設けられる円筒状の永久磁石と、
前記回転軸が前記滑り軸受手段から抜けるのを止めるために前記ロータを係止する係止片とを含み、
前記係止片は、前記永久磁石に対して軸線方向に臨む前記ベースプレートの周方向の一領域を打ち抜いて一体形成されていることを特徴とするモータ。
【請求項２】  磁性材料からなるベースプレートと、
前記ベースプレートに保持される滑り軸受手段と、
前記滑り軸受手段によって回転自在に支持される回転軸と、
コイルを有し、前記ベースプレートに設けられるステータと、
永久磁石を有し、前記回転軸に設けられ、前記ステータとの間の磁気的作用によって、前記ベースプレートに対して前記回転軸の軸線まわりに回転するロータと、
前記回転軸が前記滑り軸受手段から抜けるのを止めるために前記ロータを係止する係止片と、
前記永久磁石に対して軸線方向に臨む前記ベースプレートの周方向の領域における前記永久磁石が前記ベースプレートに作用する軸線方向の磁気力が周方向に関して変化させるロータ案内片とを含み、
前記ロータ案内片と前記係止片とは、前記回転軸の軸線に関してほぼ対称となる位置に前記ベースプレートに一体形成されていることを特徴とするモータ。
【手続補正２】
【補正対象書類名】明細書
【補正対象項目名】００１２
【補正方法】変更
【補正の内容】
【００１２】
【課題を解決するための手段】
磁性材料からなるベースプレートと、
前記ベースプレートに保持される滑り軸受手段と、
前記滑り軸受手段によって回転自在に支持される回転軸と、
前記ベースプレートに設けられるステータと、
前記回転軸に設けられ、前記ステータとの間の磁気的作用によって、前記ベースプレートに対して前記回転軸の軸線まわりに回転するロータと、
前記ステータに対向して前記ロータに設けられる円筒状の永久磁石と、
前記回転軸が前記滑り軸受手段から抜けるのを止めるために前記ロータを係止する係止片とを含み、
前記係止片は、前記永久磁石に対して軸線方向に臨む前記ベースプレートの周方向の一領域を打ち抜いて一体形成されていることを特徴とするモータ。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
また、係止片が永久磁石に対して軸線方向に臨むベースプレートの周方向の一領域を打ち抜いて一体形成されているために、その永久磁石に対してベースプレートに軸線方向に作用する磁気力が周方向によって変化する。より具体的には、その磁気力は、回転軸の軸線まわりの周方向一領域（係止片が打ち抜かれたことにより開口する領域）よりも周方向の他の領域の方が強く、これによってロータおよび回転軸は、その周方向の他の領域側に傾倒した状態で、安定して回転され、振れ回りを防止できる。ここでいう振れ回転は、滑り軸受手段が、回転軸が円滑に回転できるように支持する必要があるので、回転軸と滑り軸受手段との間には隙間が形成されており、この隙間の存在によって回転軸の軸線が変位しながらの回転をいう。上記係止片は、ベースプレートに一体形成されており、従来の技術のように別体に形成する場合と比較して部品点数を少なくすることができる。当然に別体に形成される場合のように、接着固定する細かな作業を必要とせず、組立作業も容易である。したがって製造コストを低減することができる。さらに係止片を打ち抜くことによって、ロータおよび回転軸が傾倒する磁気力が作用する構成が形成されるので、加工の手間を少なくすることができる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
請求項２記載の本発明は、磁性材料からなるベースプレートと、
前記ベースプレートに保持される滑り軸受手段と、
前記滑り軸受手段によって回転自在に支持される回転軸と、
コイルを有し、前記ベースプレートに設けられるステータと、
永久磁石を有し、前記回転軸に設けられ、前記ステータとの間の磁気的作用によって、前記ベースプレートに対して前記回転軸の軸線まわりに回転するロータと、
前記回転軸が前記滑り軸受手段から抜けるのを止めるために前記ロータを係止する係止片と、
前記永久磁石に対して軸線方向に臨む前記ベースプレートの周方向の領域における前記永久磁石が前記ベースプレートに作用する軸線方向の磁気力が周方向に関して変化させるロータ案内片とを含み、
前記ロータ案内片と前記係止片とは、前記回転軸の軸線に関してほぼ対称となる位置に前記ベースプレートに一体形成されていることを特徴とするモータである。
【手続補正１０】
【補正対象書類名】明細書
【補正対象項目名】００６９
【補正方法】削除
【補正の内容】
【手続補正１１】
【補正対象書類名】明細書
【補正対象項目名】００７０
【補正方法】変更
【補正の内容】
【００７０】
また、係止片が永久磁石に対して軸線方向に臨むベースプレートの周方向の一領域を打ち抜いて一体形成されているために、その永久磁石に対してベースプレートに軸線方向に作用する磁気力が周方向によって変化する。より具体的には、その磁気力は、回転軸の軸線まわりの周方向一領域（係止片が打ち抜かれたことにより開口する領域）よりも周方向の他の領域の方が強く、これによってロータおよび回転軸は、その周方向の他の領域側に傾倒した状態で、安定して回転され、振れ回りを防止できる。ここでいう振れ回転は、滑り軸受手段が、回転軸が円滑に回転できるように支持する必要があるので、回転軸と滑り軸受手段との間には隙間が形成されており、この隙間の存在によって回転軸の軸線が変位しながらの回転をいう。上記係止片は、ベースプレートに一体形成されており、従来の技術のように別体に形成する場合と比較して部品点数を少なくすることができる。当然に別体に形成される場合のように、接着固定する細かな作業を必要とせず、組立作業も容易である。したがって製造コストを低減することができる。さらに係止片を打ち抜くことによって、ロータおよび回転軸が傾倒する磁気力が作用する構成が形成されるので、加工の手間を少なくすることができる。
【手続補正１２】
【補正対象書類名】明細書
【補正対象項目名】００７１
【補正方法】削除
【補正の内容】
【手続補正１３】
【補正対象書類名】明細書
【補正対象項目名】００７２
【補正方法】変更
【補正の内容】
【００７２】
請求項２記載の本発明によれば、ベースプレートに保持される滑り軸受手段によって支持される回転軸にロータが設けられ、ベースプレートに設けられるステータとの間の磁気的作用によってロータおよび回転軸が回転される。滑り軸受手段は、回転軸が円滑に回転できるよに支持する必要があるので、回転軸と滑り軸受手段との間には隙間が形成されており、この隙間の存在によって回転軸の軸線が変位しながら回転する振れ回転を生じてしまう。この振れ回転を防ぐために、磁性材料から成るロータ案内片が設けられ、永久磁石に対して軸線方向に作用する磁気力を周方向で変化させ、具体的には回転軸の軸線まわりの周方向一領域で、永久磁石がロータ案内片を磁気吸引し、これによってロータおよび回転軸は、このロータ案内片が設けられる側に傾倒した状態で、安定して回転される。またベースプレートに保持される滑り軸受手段によって支持される回転軸にロータが設けられ、ベースプレートに設けられるステータとの間の磁気的作用によってロータおよび回転軸が回転される。このように回転される回転軸が滑り軸受手段から抜出てしまうことを防ぐために、係止片が設けられてロータが係止される。